(57)【要約】 【課題】  例えばヘッドランプ等の車両用灯具やショ−ル−ム等の装飾に好適で、小形軽量で簡単な構成によって容易かつ安価に製作でき、車両の運転の安全性と装飾効果を得られるとともに、ショ−ル−ム等の新規な装飾形態と防犯効果を得られ、しかも灯具周辺や室内の多様な装飾に応じられる装飾照明装置を提供すること。              【解決手段】    ランプハウス１内に設けたリフレクタ２および照明灯３を設ける。  前記照明灯３より前方に配置し、かつ前記リフレクタ２に向けて照射可能な装飾灯４を備えた装飾照明装置であること。  前記装飾灯４をランプハウス１外部の近接位置に設ける。  ランプハウス１外部の明るさが所定値以下のとき、前記装飾灯４を点灯可能にする。  【選択図】  図１
2006123757.tif 000002
【特許請求の範囲】
【請求項１】
ランプハウス内に設けたリフレクタおよび照明灯と、前記照明灯より前方に配置し、かつ前記リフレクタに向けて照射可能な装飾灯とを備えた装飾照明装置において、前記装飾灯をランプハウス外部の近接位置に設け、ランプハウス外部の明るさが所定値以下のとき、前記装飾灯を点灯可能にしたことを特徴とする装飾照明装置。
【請求項２】
前記照明灯の作動信号と、前記ランプハウス外部の明るさ情報とを入力可能にされ、該入力情報によって前記装飾灯の作動を制御可能な制御装置を備えた請求項１記載の装飾照明装置。
【請求項３】
前記ランプハウス外部の明るさ情報は、前記照明灯または照明灯以外の灯具の作動信号、またはランプハウス外部に設けた光センサ信号である請求項２記載の装飾照明装置。
【請求項４】
前記照明灯の消灯時、前記装飾灯を点灯可能にした請求項１または請求項２記載の装飾照明装置。
【請求項５】
前記照明灯の点灯時、前記装飾灯を消灯可能にした請求項１または請求項２記載の装飾照明装置。
【請求項６】
前記照明灯が車両のヘッドランプで、前記照明灯以外の灯具が車両のスモ−ルランプまたはフォグランプである請求項３記載の装飾照明装置。
【請求項７】
前記装飾灯の一側に、装飾灯の前方への光を遮蔽可能な遮光板を設けた請求項１記載の装飾照明装置。
【請求項８】
前記ランプハウスを建物の部屋で構成し、前記リフレクタをハ−フミラ−で構成し、前記装飾灯を前記照明灯の消灯または点灯時に点灯可能にした請求項１記載の装飾照明装置
【発明の詳細な説明】
【技術分野】
【０００１】
本発明は、例えばヘッドランプ等の車両用灯具やショ−ル−ム等の室内装飾に好適で、小形軽量で簡単な構成によって容易かつ安価に製作でき、車両の運転の安全性と装飾効果を得られるとともに、ショ−ル−ムの新規な装飾形態と防犯効果を得られ、しかも灯具周辺や室内の多様な装飾に応じられる装飾照明装置に関する。
【背景技術】
【０００２】
従来の車両用灯具として、光源から前方への直射光を遮断し、光源の光を一旦リフレクタに当て、その反射光を前方へ照射する間接照明効果によって、対向車に対する眩惑を防止し、走行の安全性を確保するようにしたものがある。
【０００３】
例えば、灯室内にテ−ルランプ用灯具ユニットとストップランプ用灯具ユニットとを設け、テ−ルランプ用灯具ユニットを光源ユニットとリフレクタで構成し、ストップランプ用灯具ユニットを前記光源ユニットの前方へ位置付け、テ−ルランプの点灯時、その光源である複数のＬＥＤの光をリフレクタに当て、その反射光を前方へ照射し、直接光をストップランプ用灯具ユニットで遮蔽するようにしている（例えば、特許文献１参照）。
【０００４】
しかし、この従来の装置は、灯室内にテ−ルランプ用灯具ユニットとストップランプ用灯具ユニットとを収容しているため、灯室が大形重量化するとともに、多数の光源を要して高価になり、しかもテ−ルランプの点灯時に、前方照射用の光源と反射用の光源を同時に点灯するため、それらの光量が増加して眩惑を招き、柔和性に欠ける一方、前記光源は基本的に同色の使用に限られ、灯具による多様な装飾に応じられない等の問題があった。
【０００５】
ところで、灯具ないし照明による装飾手段として、筐体内に凹状に湾曲した反射板を設け、該反射板の両端部に多数のＬＥＤを光源として配置した看板がある（例えば、特許文献２参照）。
また、同種のものとして、暗箱の前部にハ−フミラ−を設け、該ハ−フミラ−の背後にシャッタ−を作動可能に設け、該シャッタ−に透光可能な穴を設け、該シャッタ−の後方に映像物を配置し、該映像物の近接位置に照明灯を設け、常時はハ−フミラ−に表側の映像を映し出す一方、前記照明灯を人の接近を検出するセンサで点灯し、同時に前記シャッタ−を作動させて、前記穴をハ−フミラ−の中央に位置付け、照明灯に映し出された映像物をハ−フミラ−の表面に映し出すようにしたものがある（例えば、特許文献３参照）。
【０００６】
しかし、この従来の装飾手段は、前者のものは多数のＬＥＤが表出して体裁が悪く、また反射光量が多くなって眩惑を招き、柔和性に欠ける嫌いがある。
また、後者のものは、ハ−フミラ−の内側に照明灯を配置しているため、照明灯を点灯しハ−フミラ−の内側の明度を表側の明度よりも高くした場合は、暗箱内の映像物が暗箱内の表面に映し出され、同時に暗箱内の状況が表出して体裁が悪く、しかもハ−フミラ−表面における装飾は困難であるという問題があった。
【０００７】
【特許文献１】特開平１１−３０６８１０号公報
【特許文献２】登録実用新案第３０９５９４０号公報
【特許文献３】特開２０００−１４８０５７号公報
【発明の開示】
【発明が解決しようとする課題】
【０００８】
本発明はこのような問題を解決し、例えばヘッドランプ等の車両用灯具やショ−ル−ム等の室内装飾に好適で、小形軽量で簡単な構成によって容易かつ安価に製作でき、車両の運転の安全性と装飾効果を得られるとともに、ショ−ル−ムの新規な装飾形態と防犯効果を得られ、しかも灯具周辺や室内の多様な装飾に応じられる装飾照明装置を提供することを目的とする。
【課題を解決するための手段】
【０００９】
請求項１の発明は、ランプハウス内に設けたリフレクタおよび照明灯と、前記照明灯より前方に配置し、かつ前記リフレクタに向けて照射可能な装飾灯とを備えた装飾照明装置において、前記装飾灯をランプハウス外部の近接位置に設け、ランプハウス外部の明るさが所定値以下のとき、前記装飾灯を点灯可能にし、ランプハウスの小形軽量化と構成の簡潔化を図るとともに、装飾灯の点灯時期を所定の明るさに設定して、装飾灯による良好な装飾効果を得られるとともに、対向車に対する眩惑を防止するようにしている。
請求項２の発明は、前記照明灯の作動信号と、前記ランプハウス外部の明るさ情報とを入力可能にされ、該入力情報によって前記装飾灯の作動を制御可能な制御装置を備え、装飾灯の点灯および消灯動作の自動制御を実現可能にし、使用上の利便性を向上し得るようにしている。
【００１０】
請求項３の発明は、前記ランプハウス外部の明るさ情報は、前記照明灯または照明灯以外の灯具の作動信号、またはランプハウス外部に設けた光センサ信号であり、前記ランプハウス外部の明るさ情報を多様な情報から選択可能にし、製作の利便と所望の精度を得られるようにしている。
請求項４の発明は、前記照明灯の消灯時、前記装飾灯を点灯可能にし、装飾灯による安定かつ良好な間接照明効果を得られるようにしている。
請求項５の発明は、前記照明灯の点灯時、前記装飾灯を消灯可能にし、ランプハウスから照射される光を照明灯のみとし、その照射光量を抑制して、対向車両に対する眩惑を防止し、良好な視認性を得られるようにしている。
請求項６の発明は、前記照明灯が車両のヘッドランプで、前記照明灯以外の灯具が車両のスモ−ルランプまたはフォグランプであり、既設車両に容易に対応可能にしている。
【００１１】
請求項７の発明は、前記装飾灯の一側に、装飾灯の前方への光を遮蔽可能な遮光板を設け、装飾灯による装飾効果の実効を高めるとともに、その眩惑を防止するようにしている
請求項８の発明は、前記ランプハウスを建物の部屋で構成し、前記リフレクタをハ−フミラ−で構成し、前記装飾灯を前記照明灯の消灯または点灯時に点灯可能にして、ショ−ル−ム等の室内装飾に好適であるとともに、装飾灯を照明灯の点灯時に点灯させて、例えば夜間時または昼間時におけるショ−ル−ム内部の透視を防止し、防犯効果を得られるとともに、ハ−フミラ−外面の装飾を実現可能にして、新規な装飾法を提案している。
【発明の効果】
【００１２】
請求項１の発明は、装飾灯をランプハウス外部の近接位置に設け、ランプハウス外部の明るさが所定値以下のとき、前記装飾灯を点灯可能にしたから、ランプハウスの小形軽量化と構成の簡潔化を図れるとともに、装飾灯の点灯時期を所定の明るさに設定して、装飾灯による良好な装飾効果を得られるとともに、対向車に対する眩惑を防止することができる。
請求項２の発明は、前記照明灯の作動信号と、前記ランプハウス外部の明るさ情報とを入力可能にされ、該入力情報によって前記装飾灯の作動を制御可能な制御装置を備えたから、装飾灯の点灯および消灯動作の自動制御を実現可能にして、使用上の利便性を向上することができる。
【００１３】
請求項３の発明は、前記ランプハウス外部の明るさ情報は、前記照明灯または照明灯以外の灯具の作動信号、またはランプハウス外部に設けた光センサ信号であるから、前記ランプハウス外部の明るさ情報を多様な情報から選択可能にし、製作の利便と所望の精度を得られる効果がある。
請求項４の発明は、前記照明灯の消灯時、前記装飾灯を点灯可能にしたから、装飾灯による安定かつ良好な間接照明効果を得ることができる。
請求項５の発明は、前記照明灯の点灯時、前記装飾灯を消灯可能にしたから、ランプハウスから照射される光を照明灯のみとし、その照射光量を抑制して、対向車に対する眩惑を防止し良好な視認性を得ることができる。
請求項６の発明は、前記照明灯が車両のヘッドランプで、前記照明灯以外の灯具が車両のスモ−ルランプまたはフォグランプであるから、既設車両に容易に対応することができる。
【００１４】
請求項７の発明は、前記装飾灯の一側に、装飾灯の前方への光を遮蔽可能な遮光板を設けたから、装飾灯による装飾効果の実効を高められるとともに、その眩惑を防止することができる。
請求項８の発明は、前記ランプハウスを建物の部屋で構成し、前記リフレクタをハ−フミラ−で構成し、前記装飾灯を前記照明灯の消灯または点灯時に点灯可能にしたから、ショ−ル−ム等の室内装飾に好適であるとともに、装飾灯を照明灯の点灯時または消灯時に点灯させて、例えば夜間時または昼間時におけるショ−ル−ム内部の透視を防止し、防犯効果を得られるとともに、ハ−フミラ−外面の装飾を実現することができ、新規な装飾法を提案できる効果がある。
【発明を実施するための最良の形態】
【００１５】
以下、本発明を自動車用灯具であるヘッドランプの装飾に適用した図示の実施形態について説明すると、図１乃至図３において１は自動車（図示略）の前部所定位置に設けた透過部材からなるランプハウスで、その奥部に凹状曲面の反射面を備えたリフレクタ２が設けられ、該リフレクタ２の奥部中央に内側の照明灯であるヘッドランプ３が設けられている。
前記ランプハウス１の前部外周面の近接位置に、装飾灯として単一または複数のＬＥＤ（発光ダイオ−ド）４が設けられ、所望の色を発光可能にされている。
実施形態では青色発光ダイオ−ドが使用され、該ＬＥＤ４の外側に不透過部材からなる遮光板５が設けられ、ＬＥＤ４およびその前方への発光を遮蔽可能にしている。
【００１６】
前記ＬＥＤ４は、ヘッドランプ３、またはその周辺に設けたスモ−ルランプ（車幅灯）等の補助照明灯６の動作に応じて、そのＯＮ・ＯＦＦ時期および作動を制御されている。
前記スモ−ルランプは、自動車の運転視界の明るさの低下時または走行若しくは停車時の視認性向上のために、ヘッドランプ３に代わって点灯され、該照明灯６の作動信号とヘッドランプ３の作動信号を、自動車の適所に設けた制御装置７へ入力可能にしている。
制御装置７は例えば小形のパ−ソナルコンピュ−タで構成され、これは前記入力信号によって、ランプハウス１内外の明るさを判断し、例えばヘッドランプ３を消灯し照明灯６を点灯する図１の状況下では、ランプハウス１内の明るさがランプハウス１外よりも暗いと判断して、ＬＥＤ４へ作動信号を出力し、該ＬＥＤ４を発光可能にしている。
【００１７】
また、例えばヘッドランプ３を点灯する図２の状況下では、ランプハウス１内の明るさがランプハウス１外よりも明るいと判断して、ＬＥＤ４へ作動停止信号を出力し、該ＬＥＤ４を消灯可能にしている。
なお、この実施形態では照明灯６としてスモ−ルランプを用いているが、スモ−ルランプと同時に略同種目的で点灯されるフォグランプを用いることも可能である。
【００１８】
このように構成した装飾照明装置は、ランプハウス１の前部外周面の近接位置に、装飾灯として単一または複数のＬＥＤ４を設け、その外側に遮光板５を取り付ける。
また、自動車の適所にランプハウス１内外の明るさを判断可能な制御装置７を設け、該制御装置７に既設のヘッドランプ３と、スモ−ルランプやフォグランプ等の補助照明灯６の作動信号を入力可能に接続する。
【００１９】
このように前記装飾照明装置は構成が簡単であるから、これを容易かつ安価に製作かつ取り付けられ、また遮光板５をランプハウス１の前部外周面の下部に取り付けているから、目立たずに体裁が良く、しかもヘッドランプ３の前向きの照射光を遮ることがない。
【００２０】
こうして製作した装飾照明装置は、昼間時や薄暮時の走行時には、通常はヘッドランプ３が消灯され、代わりに補助照明灯６としてスモ−ルランプが点灯され、それらの信号が制御装置７へ入力される。
このため、制御装置７は前記入力信号によって、ランプハウス１内の明るさがランプハウス１外よりも暗いと判断し、ＬＥＤ４へ作動信号を出力して、該ＬＥＤ４を発光させる
【００２１】
したがって、ＬＥＤ４の青色光がランプハウス１を透過してリフレクタ２に到達し、該リフレクタ２の反射面が柔和な青色に発色して装飾され、その青色光が前方へ向かって照射されるから、対向車に対する走行の視認性が向上する。
その際、前記青色光は間接照明であるから、対向車に対する幻惑を防止し安全な運転視界を形成する。
【００２２】
一方、夜間走行時にはヘッドランプ３が点灯され、補助照明灯６が消灯されて、それらの信号が制御装置７へ入力される。
このため、制御装置７は前記入力信号によって、ランプハウス１内の明るさがランプハウス１外よりも明るいと判断して、ＬＥＤ４へ作動停止信号を出力し、該ＬＥＤ４を消灯する。したがって、ヘッドランプ３の光が前方へ向かって照射され、リフレクタ２はその反射光によって柔和に発光する。
その際、ＬＥＤ４の発光が阻止されるから、その発光ないし発色とヘッドランプ３との混色が回避され、リフレクタ２の変色や過剰光量を招くことがなく、対向車に対する幻惑を防止して安全な運転視界を形成する。
【００２３】
このように前記実施形態は、ヘッドランプ３や補助照明灯６のＯＮ・ＯＦＦ信号によって、ＬＥＤ４の点灯ないし装飾時期を自動的に制御し、また対向車に対する幻惑を防止して、安全な運転視界を確保するようにしている。
【００２４】
図４乃至図９は本発明の他の実施形態を示し、これらの実施形態において前記実施形態の構成と対応する部分には同一の符号を用いている。
このうち、図４および図５は本発明の第２の実施形態を示し、この実施形態は室内照明装置である蛍光灯に本発明を適用している。
すなわち、ランプハウスである円錐状の傘１の内面に同形のリフレクタ２を設け、該リフレクタ２の内側奥部に内側照明である電球３を取り付け、前記傘１の開口縁部に環状の遮光板５を取り付けて、該遮光板５に装飾灯である複数のＬＥＤ４を取り付けている。
【００２５】
そして、前記ＬＥＤ４を制御装置７によってＯＮ・ＯＦＦ制御し、電球３の点灯時にＬＥＤ４を消灯させ、ＬＥＤ４の発光による光量の増加と、電球３とＬＥＤ４との混色による変状を回避し、また電球３の消灯時にＬＥＤ４を点灯可能にして、リフレクタ２を青色に発色させ、リフレクタ２を装飾可能にしている。
図中、８は傘１を支持する支持杆で、その一端をブラケット９に取り付け、該ブラケット９を壁面１０に固定している。
【００２６】
なお、前記蛍光灯が日差しの入る室内に設置されている場合、日差しの光度を感知可能な光センサ（図示略）を例えば蛍光灯の適所に設置し、該光センサの検出信号を制御装置７へ入力可能にして、室内が一定以上明るい場合にＬＥＤ４を消灯させるようにすれば、その分節電可能になる。
【００２７】
図６乃至図９は本発明の第３の実施形態を示し、この実施形態はショ−ル−ムや展示場等に本発明を適用している。
すなわち、ランプハウスであるショ−ル−ム１に単一または複数の内側照明灯３を設け、外側に面するショ−ウィンド部１ａにリフレクタであるハ−フミラ−２（マジックミラ−）を設置し、該ミラ−２の外面に額縁状の遮光板５を取り付け、該ミラ−２と遮光板５との間に装飾灯である複数のＬＥＤ４を設けている。
図中、２ａはリフレクタ２の反射面、１１はリフレクタ２の背部に設けたポスタ−である。
【００２８】
前記ハ−フミラ−２または遮光板５の適所に、室外の明るさを感知可能な光センサ（図示略）を設け、該光センサの検出信号と、内側照明灯３の作動信号とを制御装置７へ入力可能にし、室外の明るさが一定以上のときはＬＥＤ４の発光を停止可能にし、室外の明るさが一定以下のときは、ＬＥＤ４を発光可能にしている。
したがって、例えば室外が明るい昼間時はＬＥＤ４が消灯され、太陽光がリフレクタ２に反射されて透過し得ないため、反射面２ａには外側に存在する実像だけが映し出され、ポスタ−１１やショ−ル−ム１内を透視できない。この状況は図７のようである。
その際、内側照明３を点灯し、ショ−ル−ム１内を室外より明るくすれば、照明灯３がリフレクタ２を透過し、ポスタ−１１やショ−ル−ム１内が透視可能になる。
【００２９】
一方、例えば室外が暗くなる夜間時は、内側照明３が点灯されるとともに、ＬＥＤ４が発光かつ発色してリフレクタ２に反射され、リフレクタ２表面が青色に装飾される。
その際、内側照明３をＬＥＤ４の明るさよりも暗く設定して置けば、ＬＥＤ４の光によるリフレクタ２の透過が遮られ、ポスタ−１１やショ−ル−ム１内の透視が不可能になって、秘密漏洩防止や防犯に好適である。
この状況は図９のようである。したがって、従来のように夜間時にポスタ−１１やショ−ル−ム１内が透視される不具合がないから、防犯上好ましく秘密漏洩を防止し得る。
したがって、いわゆるマジックミラ−を駆使した従来の室内装飾法のように、室内側が室外に比べて明るい夜間等に、室内が透視される不具合を解消でき、新規な装飾法を得られる。
【産業上の利用可能性】
【００３０】
このように本発明の装飾照明装置は、小形軽量で簡単な構成によって容易かつ安価に製作でき、車両の運転の安全性と装飾効果を得られるとともに、ショ−ル−ムの新規な装飾形態と防犯効果を得られ、しかも灯具周辺や室内の多様な装飾に応じられるから、例えばヘッドランプ等の車両用灯具やショ−ル−ム等の室内装飾に好適である。
【図面の簡単な説明】
【００３１】
【図１】本発明を自動車のヘッドランプの装飾に適用した要部の断面図で、ヘッドランプを消灯し、スモ−ルランプと装飾灯を点灯している状況を示している。
【図２】本発明を自動車のヘッドランプの装飾に適用した要部の断面図で、ヘッドランプを点灯し、スモ−ルランプと装飾灯を消灯している状況を示している。
【図３】本発明を自動車のヘッドランプの装飾に適用した説明図で、制御装置による制御法を示している。
【図４】本発明を蛍光灯の装飾に適用した第２の実施形態を示す斜視図である。
【００３２】
【図５】前記第２の実施形態におけるランプハウス部分の断面図である。
【図６】本発明をショ−ル−ムの装飾に適用した第３の実施形態を示す断面図である
【図７】前記第３の実施形態に適用したリフレクタを拡大して示す正面図で、昼間時の外部状況を示している。
【図８】図７のＡ−Ａ線に沿う拡大断面図である。
【図９】前記第３の実施形態に適用したリフレクタを拡大して示す正面図で、夜間時の外部状況を示している。
【符号の説明】
【００３３】
１      ランプハウス、ショ−ル−ム
２      リフレクタ（ハ−フミラ−）
３      照明灯、ヘッドランプ、電球
４      装飾灯（ＬＥＤ）
５      遮光板
６      スモ−ルランプ（補助照明灯）
【図１】
2006123757.tif 000003
【図２】
2006123757.tif 000004
【図３】
2006123757.tif 000005
【図４】
2006123757.tif 000006
【図５】
2006123757.tif 000007
【図６】
2006123757.tif 000008
【図７】
2006123757.tif 000009
【図８】
2006123757.tif 000010
【図９】
2006123757.tif 000011